(57)【要約】      （修正有）【課題】災害時にも簡単に設置でき、しかも連絡事項が上空から認識しやすい緊急連絡表示部材を提供する。【解決手段】この緊急連絡表示部材１は、縦が３ｍ以上５ｍ以下で横が６ｍ以上１０ｍ以下の略長方形状のシートと、該シート上に設けられた数字表示部と、固定物へ取り付けるための取付部材５を有し、数字表示部４には３桁の７セグメントデジタル数字表示部６が形成されており、７セグメントデジタル数字表示部６にはセグメント部材がシートに対して着脱可能に設けられている。【選択図】図１
0003170638.tif 000002
【実用新案登録請求の範囲】
【請求項１】
縦が３ｍ以上５ｍ以下で横が６ｍ以上１０ｍ以下の略長方形状のシートと、シート上に設けられた数字表示部と、固定物へ取り付けるための取付部材を有し、数字表示部には３桁の７セグメントデジタル数字表示部が形成されており、７セグメントデジタル数字表示部にはセグメント部材がシートに対して着脱可能に設けられている緊急連絡表示部材。
【請求項２】
右上セグメントにおいて上部と下部のうちの一方のみを覆う右上隅セグメント部材と、左下セグメントにおいて上部と下部のうちの一方のみを覆う左下隅セグメント部材とを有する請求項１に記載の緊急連絡表示部材。
【請求項３】
シートはメッシュシートであり、７セグメントデジタル数字表示部においてシートおよびセグメント部材には面ファスナが設けられている請求項１または請求項２に記載の緊急連絡表示部材。
【請求項４】
請求項１から請求項３のいずれかに記載の緊急連絡表示部材と、漢字情報を表示する漢字表示部を有する緊急連絡表示部材セット。
【考案の詳細な説明】
【技術分野】
【０００１】
この考案は、災害などの緊急時において、救援要請などのメッセージの上空へ向けて表示する緊急連絡表示部材に関する。
【背景技術】
【０００２】
緊急時において連絡をとるのに、携帯電話やメール機能が使用される。例えば、特許文献１には、損害保険会社が無償で譲渡あるいは貸与した携帯電話機において、ＱＱボタン・スイッチとして赤ボタンと青ボタンとを設け、測位データの取得に当たって、ＧＰＳ機能とタグ読取り機能とのより早い方を利用するようにし、かつ損害保険会社の交信に当たって、損害保険会社からのプリント要求にもとづき、当該携帯電話機を損害保険会社の本支店・代理店に提示してプリント出力を得る、との記載がある。
【０００３】
また、平成２３年３月に発生した東日本震災では、救助を求める被災者らが建物の屋上に塗料などで文字を書いたり、土嚢などをならべて文字を表示し、救援の航空機やヘリコプターに連絡を取ろうとしていた。
【先行技術文献】
【特許文献】
【０００４】
【特許文献１】特開２００６−２２９９２０号公報
【考案の概要】
【考案が解決しようとする課題】
【０００５】
地震などの災害においては、電話線などが寸断され、通常の電話は使えなくなる。そのような緊急時には携帯電話の発信が殺到し、ほとんど通じなくなる。さらに、アンテナや中継局なども損傷し、メールによる通信も困難となる。長期間にわたって送電が途絶えれば携帯端末の充電もできなくなり、一切の通信手段が断たれる。
【０００６】
東日本震災では、救助を求める被災者らが建物の屋上で旗を振ったり、文字を書いたりしてヘリコプターに連絡を取ろうとし、一定の成果も得られた。しかし、上空から認識しやすくするためには大きな文字が整然と表わされる必要があるが、下にいる被災者が塗料などで適切に文字を書くのは容易ではない。また、物を並べる場合、土嚢など風に飛ばされないような重量物を使用するが、このような重量物を屋上まで運び上げるのは極めて困難である。
【０００７】
この考案は、災害時にも簡単に設置でき、しかも連絡事項が上空から認識しやすい緊急連絡表示部材および緊急連絡表示部材セットを提供することを目的とする。
【課題を解決するための手段】
【０００８】
上述の課題を解決するため、この考案の緊急連絡表示部材は、縦が３ｍ以上５ｍ以下で横が６ｍ以上１０ｍ以下の略長方形状のシートと、シート上に設けられた数字表示部と、固定物へ取り付けるための取付部材を有し、数字表示部には３桁の７セグメントデジタル数字表示部が形成されており、７セグメントデジタル数字表示部にはセグメント部材がシートに対して着脱可能に設けられている。
【０００９】
セグメント部材には、右上セグメントにおいて上部と下部のうちの一方のみを覆う右上隅セグメント部材と、左下セグメントにおいて上部と下部のうちの一方のみを覆う左下隅セグメント部材が含まれることが好ましい。
【００１０】
シートはメッシュシートであり、７セグメントデジタル数字表示部においてシートおよびセグメント部材には面ファスナが設けられていることが好ましい。
【００１１】
この考案の緊急連絡表示部材セットは、上述の緊急連絡表示部材に加え、漢字情報を表示する漢字表示部を有する。
【考案の効果】
【００１２】
この考案の緊急連絡表示部材および緊急連絡表示部材セットは、シート状の部材よりなるので、軽く、しかも簡単に設置することができる。上空から視認するのに十分な広さを有し、しかも、明瞭な表示が行える。通常は、巻いたり、折り畳むことにより、場所を取らず、どこにでも簡単に保管できる。
【図面の簡単な説明】
【００１３】
【図１】緊急連絡表示部材を示す平面図である。
【図２】７セグメントデジタル数字表示部を示す平面図である。
【図３】７セグメントデジタル数字表示部の別の例を示す平面図である。
【図４】数字表示部の表示例を示す平面図である。
【図５】緊急連絡表示部材セットの第１の例を示す平面図である。
【図６】緊急連絡表示部材セットの第２の例を示す平面図である。
【図７】緊急連絡表示部材セットの第３の例を示す平面図である。
【考案を実施するための形態】
【００１４】
この考案を実施するための形態について図面に基づいて説明する。緊急連絡表示部材を示す平面図である。緊急連絡表示部材１は略長方形のシート状の部材である。シート２上には数字表示部４が設けられている。また、角部や辺部には固定物へ取り付けるための取付部材５を有する。
【００１５】
シートは縦が３ｍ以上５ｍ以下で横が６ｍ以上１０ｍ以下の略長方形状である。ヘリコプターで上空から見た場合、この程度の大きさであれば明確に表示を読み取ることができる。
【００１６】
本願考案者は、まず、１辺が３ｍの正方形状のものを設計した。そして、インターネットのマップ検索サービスを利用して、シュミレーションを行った。マップ検索サービスで航空写真を表示させ、そこに現れるビルの屋上に縮尺を合わせた３ｍの正方形状の表示装置を重ね合わせ、その見え方を検討した。予め、救助活動の専門家の経験に基き、航空機の高度を設定し、その高度からの見え方を再現した。その結果、このような大きさでは、捜索中の救助ヘリが飛行する高度では十分に表示を読み取れないことが判明した。
【００１７】
そこで、シートの寸法をさまざまに変えながら同様のシュミレーションを繰り返して鋭意検討し、縦が３ｍ以上５ｍ以下で横が６ｍ以上１０ｍ以下の略長方形に至った。この大きさであれば、多くのビルディングにおいて、その屋上に設置でき、しかも上空から良好に視認できる。このサイズを大きく超えると、今度は設置できるビルディングが限定されてしまい、また、緊急時における取り扱いが行いにくいことも判明した。
【００１８】
シートは、布や合成樹脂のシートなど軽くて丈夫な素材が好ましい。特にメッシュシートは軽くて丈夫であり、水が抜けるので雨天時の使用においても簡単に展開でき、この考案の適用に適している。シートの色は目立つような明るいのが適しており、特にオレンジが好ましい。本例では、シート２の素材として、厚さ０．３ｍｍのポリエステルのメッシュシートを使用している。
【００１９】
シート２には数字表示部４が設けられている。
【００２０】
数字表示部４について説明する。数字表示部４には後述の漢字表示部３と同程度の大きさの７セグメントデジタル数字表示部６が形成されて、３桁の数字が表示できるようになっている。
【００２１】
図２は７セグメントデジタル数字表示部を示す平面図である。１つの７セグメントデジタル数字表示部は、Ａ〜Ｇに示す７個の棒状のセグメントで構成される。左上（Ｆ）、左下（Ｅ）、右上（Ｂ）、右下（Ｃ）には縦のセグメントが配置され、中央部では上（Ａ）、中（Ｇ）、下（Ｄ）に横のセグメントが配置される。
【００２２】
各セグメントは長方形または平行四辺形でもよいが、本例では長方形部の両端に三角形状の端部が設けられ、隣接するセグメントはこの端部によって接する。そして、セグメントの形状に形成されたセグメント部材が、このセグメント部に着脱可能に設けられている。ここでは、着脱部材として、シートの各セグメント部およびセグメント部材裏面に面ファスナ（図示省略）を設けている。
【００２３】
シートのセグメント部またはセグメント部材表面のいずれか一方は、シートの生地とは異なる色が付されている。ここでは、セグメント部材表面が黒色となっており、シートのオレンジ色に対して強い色コントラストとを形成している。セグメント部材の素材としてはテント用シートを使用している。このセグメント部材の着脱の組合せにより、０〜９までの数字が表示でき、さらにいくつかのローマ字も表わすことができる。例えば、後述の漢字表示部３を使用して「要救助」を表示した場合などには、数字表示部４には数字を表示することによって、そこにどれだけの人数の要救助者がいるかを示すことができ、救助隊はそれに応じた適切な措置を講じることができる。
【００２４】
図３は７セグメントデジタル数字表示部を示す平面図である。右上セグメント部材（Ｂ）および左下セグメント部材（Ｅ）が上部と下部に分割されている。それ以外のセグメント部材は図２の例と同じである。セグメント部材表面にシート生地と異なる色が付されている場合、右上セグメント（Ｂ）においては、上部のみを覆うＢ１が右上隅セグメント部材となる。また、左下セグメント（Ｅ）においては、下部のみを覆うＥ１が左下隅セグメント部材となる。もし、シートのセグメント部に地の色と異なる色を付した場合には、それぞれ逆の部材Ｂ２，Ｅ２が右上隅セグメント部材および右上隅セグメント部材となる。
【００２５】
図４は数字表示部の表示例を示す平面図である。図３の例のセグメント部材を用いている。図２の例のセグメント部材を用いて「Ｓ」の文字を表そうとする場合、右上セグメント（Ｂ）と左下セグメント（Ｅ）以外のセグメント部材を取り付けることによって行うが、これは数字の５と同じ形状であるので、見た者が「Ｓ」と認識できない可能性がある。たとえば、「ＳＯＳ」と表わそうとしても「５０５」との区別がつかない。しかし、図４では１桁目と３桁目において右上隅セグメント部材と左下隅セグメント部材を使用することによって、「Ｓ」の文字が忠実に表わされている。数字の５とは明確に区別できる。
【００２６】
緊急時に救助を求める際、「ＳＯＳ」は習慣的に使われている。しかも、「ＳＯＳ」は確実に伝わる必要がある。図４では「ＳＯＳ」が明瞭に表示されている。
【００２７】
この発明の緊急連絡表示部材は軽量であるので、ビルの屋上など適切な設置場所に簡単に運ぶことができる。漢字表示部３と後述の数字表示部４に適切な表示を簡単かつ即時に設けることができる。取付部材として複数の箇所にロープ５を有するので、これを屋上の柱や手すりなどの固定物へ結ぶことによって、簡単かつ確実に設置できる。負傷者の増加など状況の変化があっても、表示する情報を即座に変更することができる。
【００２８】
この緊急連絡表示部材はＧＰＳなど複雑な電子装置を全く用いておらず、電気が通じていない状況でも確実に使用できる。
【実施例】
【００２９】
ついで、緊急連絡表示部材の実施例について説明する。緊急連絡表示部材１は漢字表示部３と組み合わせて、緊急連絡表示部材セットとして使用されることによって、より効果的に緊急情報を発信することができる。
【００３０】
漢字表示部３は漢字により情報を表示するシート部材である。緊急連絡表示部材と一体に設けることもできるが、独立したシートにすることが好ましい。漢字は複雑な文字であるが、少ない文字数で情報を正確に伝達できる利点がある。この漢字表示部３はオプション的な部材であり、ユーザーに合わせて準備したり、複数のものを準備し、ユーザーの要望に合わせて各種のセットとして緊急連絡表示部材１とともに提供することができる。
【００３１】
図５は、緊急連絡表示部材セットの第１の例を示す平面図である。漢字表示部３は緊急連絡表示部材１から独立したシートであり、ひもなどの接続手段で緊急連絡表示部材１の横または上下に接続される。ここでの漢字表示部３は施設名表示部材である。すなわち、使用される場所を示す文字情報が印刷される。たとえば、病院、学校、会社、役所などを簡潔に表わす文字列が印刷される。この施設名用漢字表示部は、ユーザーごとに作成される。
【００３２】
図５の例は、被災時の初期において主に使用されるものである。緊急連絡表示部材セットは図５に示すような状態で提供されることが好ましい。すなわち、数字表示部には「ＳＯＳ」が表示されていて、施設名用漢字表示部３ａが緊急連絡表示部材１に接続された状態である。被災したら最初にこの状態で建築物の屋上などに設置する。
【００３３】
救助活動をする者は被災地の施設のすべてを知っているわけではない。ましてや、火災や浸水でその地域が大規模に損壊している時には、どの町であるかもわかりにくい。そこで、施設名用漢字表示部３ａにより、どのような施設で問題が発生し、どのような被災者（児童、病人、高齢者など）がいるのかが一目で把握でき、救助の方法や支援の内容などが適切に選択できる。
【００３４】
図６は、緊急連絡表示部材セットの第２の例を示す平面図である。被災時の第２段階で主に使用されるものである。要救助表示部３ｂは縦に大きく「要救助」と印刷されたシートである。その縦寸法は緊急連絡表示部材の縦寸法とほぼ同じである。ひもなどの接続手段で緊急連絡表示部材１の左側に接続される。
【００３５】
人表示部３ｃは縦に大きく「人」と印刷されたシートである。７セグメントデジタル数字表示部６の一つ分とほぼ同じ寸法である。裏面には面ファスナ、あるいは面ファスナに付きやすい素材が設けられている。１の位の７セグメントデジタル数字表示部上に取り付けられる。
【００３６】
そして、残りの２桁分の７セグメントデジタル数字表示部６を使用して、緊急に救助を要する者の人数を示す。これにより、人命救助という最も緊急性の高い支援に必要な情報を伝達することができる。
【００３７】
図７は、緊急連絡表示部材セットの第３の例を示す平面図である。被災時の第３段階で主に使用されるものである。支援物資表示部３ｄは物資名が縦に大きく印刷されたシートである。７セグメントデジタル数字表示部６の一つ分とほぼ同じ寸法である。裏面には面ファスナ、あるいは面ファスナに付きやすい素材が設けられていて、７セグメントデジタル数字表示部６に着脱することができる。たとえば、「水」「燃料」「毛布」「食糧」「電池」など緊急時に必要になりそうな物資名が印刷されたものをセットにしておき、必要性の最も高い３点を選択して表示できるようにする。
【００３８】
以上、緊急連絡表示部材１を基本とし、各種漢字表示部３を組み合わせて緊急連絡表示部材セットとする。特に、図５に示すものを緊急連絡表示部材セットの基本構成とすることができる。そして、要救助表示部３ｂ、人表示部３ｃ、支援物資表示部３ｄはオプションとし、ユーザーが必要なものを選択できるようにする。これらの部材を折り畳んで背負い袋に収納した状態でユーザーに提供される。こうしておけば、場所を取らず保管に便利であり、被災時には背負って屋上などに運搬することができる。
【符号の説明】
【００３９】
１．緊急連絡表示部材
２．シート
３．漢字表示部
４．数字表示部
５．取付部材
６．セグメントデジタル数字表示部
【図１】
0003170638.tif 000003
【図２】
0003170638.tif 000004
【図３】
0003170638.tif 000005
【図４】
0003170638.tif 000006
【図５】
0003170638.tif 000007
【図６】
0003170638.tif 000008
【図７】
0003170638.tif 000009